(57)【要約】【課題】多数の電極から十分なフレームレートで刺激電流を出力することができる視覚再生補助装置を提供すること。【解決手段】患者の視覚を再生する視覚再生補助装置において、刺激パルス信号を出力する複数の電極を備える刺激ユニットと、刺激ユニットを複数備える電極ユニットと、電極ユニットへ給電を行うバッファユニットと、電極ユニットとバッファユニットとを電気的に接続し、給電信号を伝送する配線と、バッファユニットへ給電を行う給電ユニットと、バッファユニットと給電ユニットとを電気的に接続し、給電信号を伝送するケーブルとを有し、給電ユニットは、バッファユニットへ低周波給電を行い、バッファユニットは、電極ユニットへ高周波給電を行う。【選択図】図２
2020081720.tif 000002
【特許請求の範囲】
【請求項１】
患者の視覚を再生する視覚再生補助装置において、
刺激パルス信号を出力する複数の電極を備える刺激ユニットと、
前記刺激ユニットを複数備える電極ユニットと、
前記電極ユニットへ給電を行うバッファユニットと、
前記電極ユニットと前記バッファユニットとを電気的に接続し、給電信号を伝送する配線と、
前記バッファユニットへ給電を行う給電ユニットと、
前記バッファユニットと前記給電ユニットとを電気的に接続し、給電信号を伝送するケーブルとを有し、
前記給電ユニットは、前記バッファユニットへ低周波給電を行い、
前記バッファユニットは、前記電極ユニットへ高周波給電を行う
ことを特徴とする視覚再生補助装置。
【請求項２】
請求項１に記載する視覚再生補助装置において、
前記電極ユニットは、百以上の電極を備え、
前記給電ユニットは、数ＭＨｚの低周波給電を行い、
前記バッファユニットは、数十ＭＨｚの高周波給電を行う
ことを特徴とする視覚再生補助装置。
【請求項３】
請求項１又は請求項２に記載する視覚再生補助装置において、
前記刺激ユニットは、入力部にカップリングコンデンサを備えている
ことを特徴とする視覚再生補助装置。
【請求項４】
請求項１から請求項３に記載するいずれか１つの視覚再生補助装置において、
前記バッファユニットは、入力される低周波給電信号を整数と整数の比で表される分数倍した高周波給電信号に変換して出力する
ことを特徴とする視覚再生補助装置。
【請求項５】
請求項４に記載する視覚再生補助装置において、
前記バッファユニットは、前記低周波給電信号を前記高周波給電信号に変換するＰＬＬ回路を有する
ことを特徴とする視覚再生補助装置。
【発明の詳細な説明】
【技術分野】
【０００１】
本開示は、患者の視覚を再生する視覚再生補助装置に関するものである。
【背景技術】
【０００２】
従来から失明治療技術の１つとして、電極等を有する眼内埋植装置（体内装置）を眼内に設置し、電極から電気刺激パルス信号（電荷）を出力して、網膜を構成する細胞を電気刺激することにより、視覚の再生を試みる視覚再生補助装置が知られている。この種の視覚再生補助装置は、例えば、体外にて撮像された映像を光信号や電磁気信号に変換した後、眼内に設置された体内装置に送信し、体内装置に設けられた複数の電極から電気刺激パルス信号（刺激電流）を発して網膜を構成する細胞を刺激することにより、視覚の再生を促している（特許文献１参照）。
【０００３】
この視覚再生補助装置では、電極ユニットに設けられた数十個の電極から刺激電流を出力するが、１個の電極を刺激するために必要な刺激パルス信号のパルス幅が１ｍｓ程度であるため、電極１個ずつ順次刺激動作をさせても、すべての電極を刺激動作するための十分なフレームレート（例えば２０Ｈｚ程度）が確保されている。そして、同時に刺激出力するのは１つの電極なので、電極ユニットにはマルチプレクサのみが設置され、刺激電流源が給電ユニットに設置され、電極ユニットへの給電は間欠的に刺激動作していない期間に行われている。
【先行技術文献】
【特許文献】
【０００４】
【特許文献１】特開２０１６−１９３０６８号公報
【発明の概要】
【発明が解決しようとする課題】
【０００５】
ここで、患者が認識できる外界像の解像度を高めるためには、網膜により多くの電極（例えば、百以上の電極）を配置し、それら多数の電極から網膜を刺激する必要がある。ところが、百以上の電極から刺激電流を出力する場合には、電極１個ずつ順次刺激動作をさせると、十分なフレームレートを確保することができなかった。そのため、電極ユニットに電極を数百個設けると、十分なフレームレートにてそれら多数の電極を刺激動作することができなくなるおそれがあった。
【０００６】
そこで、本開示は、上記した問題点を解決するために、多数の電極から十分なフレームレートで刺激電流を出力することができる視覚再生補助装置を提供することを目的とする。
【課題を解決するための手段】
【０００７】
上記課題を解決するためになされた本開示の一形態は、
患者の視覚を再生する視覚再生補助装置において、
刺激パルス信号を出力する複数の電極を備える刺激ユニットと、
前記刺激ユニットを複数備える電極ユニットと、
前記電極ユニットへ給電を行うバッファユニットと、
前記電極ユニットと前記バッファユニットとを電気的に接続し、給電信号を伝送する配線と、
前記バッファユニットへ給電を行う給電ユニットと、
前記バッファユニットと前記給電ユニットとを電気的に接続し、給電信号を伝送するケーブルとを有し、
前記給電ユニットは、前記バッファユニットへ低周波給電を行い、
前記バッファユニットは、前記電極ユニットへ高周波給電を行うことを特徴とする。
【発明の効果】
【０００８】
本開示の視覚再生補助装置によれば、百以上の電極から十分なフレームレートで刺激電流を出力することができる。
【図面の簡単な説明】
【０００９】
【図１】本実施形態の視覚再生補助装置における体外装置を示す図である。
【図２】本実施形態の視覚再生補助装置における体内装置を示す図である。
【図３】刺激ユニットを示す図であり、（ａ）は底面側から見た正面図、（ｂ）は側面から見た断面図である。
【図４】眼球に対する電極ユニットの設置位置を示す図である。
【図５】体内装置の回路構成を示す図である。
【発明を実施するための形態】
【００１０】
以下、本開示における典型的な実施形態について、図面に基づき詳細に説明する。本実施形態の視覚再生補助装置は、患者の失われた視覚機能を再生又は代替する。より詳細には、体外で撮像された外界像に基づいて、機能が失われた視覚神経系に対して電気刺激を行うことで、疑似光覚（フォスフェン）による像を、患者に視覚させる。本実施形態では、網膜刺激型の視覚再生補助装置に本開示を適用した場合を例示して説明する。
【００１１】
本実施形態における視覚再生補助装置は、外界像を得るための撮像部が体外に設けられた体外撮像型の装置である。このような視覚再生補助装置は、体外装置２０（図１参照）と、体内装置１０（図２参照）と、に大別される。図面に示す視覚再生補助装置は、脈絡膜上−経網膜刺激型(ＳＴＳ：Suprachoroidal Transretinal Stimulation)に適合した装置である。この場合、眼球強膜に切り込みを入れて形成した切開創（フラップ）から電極１０５（刺激ユニット１００）が挿入され、電極１０５が脈絡膜に位置される。その結果、網膜に電極１０５を直接接触させずに電気刺激が可能となる。
＜体外装置の概略構成＞
【００１２】
図１に示すように、体外装置２０は、眼鏡タイプのウェアラブルデバイスであり、本実施形態では顔に装着される。また、本実施形態の体外装置２０は、カメラ２０４、処理装置２０２、及び送信部２０６を有する。
【００１３】
カメラ２０４（主には、ビデオカメラ）は、患者の前方の外界像を取得するために利用される。例えば、ＣＣＤカメラ等が利用されてもよい。カメラ２０４は、例えば、患者の頭の向きに応じた外界像が撮影されるように、患者の頭部に取り付けられることが好ましい。
【００１４】
処理装置２０２は、演算処理・制御処理を行う、プロセッサを有する。処理装置２０２は、カメラ２０４で取得される外界像（画像）を処理して、体内装置１０に送信する制御信号を生成する。生成された制御信号は、送信部２０６へ出力される。制御信号には、体内装置１０の動作を制御するための制御情報が少なくとも含まれている。この制御情報は、本実施形態において体内装置１０によって出力される刺激電流の制御に利用される。
【００１５】
送信部２０６は、処理装置２０２で生成される信号を、体内装置１０（より詳細には給電ユニット１５０：図２参照）に送信するために利用される。送信部２０６は、電磁波として、信号に含まれる情報を体内装置１０に伝送する。例えば、波長、周期、振幅、位相などの少なくとも何れかが信号に応じて変調された電磁波が、体内装置１０へ非接触（例えば、コイルリンク）で送信される。送信部２０６は、体内に埋植された受信部１５１（本実施形態では給電ユニット１５０：図２参照）の位置付近に固定される。
【００１６】
本実施例では、視覚再生補助装置の電源として、バッテリー２０３が体外装置２０に設けられている。各部への電力は、バッテリー２０３から供給される。電力は、送信部２０６から体内装置１０へ非接触で送信される。例えば、電力は、制御信号が重畳された状態で体内装置１０へ送信される。また、制御信号とは別の電力信号として体内装置１０へ非接触で送信されてもよい。本実施形態では、体外装置２０から体内装置１０への電力伝送は、継続的に実行される。
＜体内装置の概略構成＞
【００１７】
図２に示すように、体内装置１０には、少なくとも、電極ユニット５０、バッファユニット６０、給電ユニット１５０、および、ケーブル１６０が含まれる。電極ユニット５０は、複数の刺激ユニット１００を備えている。体内装置１０は、更に、帰還電極（不図示）を有しており、帰還電極は刺激ユニット１００と電気的に接続される。
【００１８】
電極ユニット５０を構成する各刺激ユニット１００は、眼組織に埋植される複数の電極１０５を備える。本実施形態において、刺激ユニット１００は、網膜（視覚神経系の一例）の近傍に設置（埋植）され、各々の電極１０５から網膜に対して刺激電流を出力する（換言すれば、電気刺激を行う）。刺激電流は、帰還電極へ導かれる。このため、刺激する部位（組織）を挟むようにして、刺激ユニット１００と帰還電極とは設置される。
【００１９】
刺激ユニット１００で消費される電力は、給電ユニット１５０からの給電信号によって供給される。給電信号は、バッファユニット６０と給電ユニット１５０とを電気的に接続するケーブル１６０、及び刺激ユニット１００とバッファユニット６０とを電気的に接続する配線１７０を介して伝送される。ケーブル１６０及び配線１７０は、絶縁性および生体適合性を持つ外装でカバーされる。
【００２０】
本実施形態では、図２に示すように、１つの給電ユニット１５０に対し、１つの電極ユニット５０、すなわち複数の刺激ユニット１００が設けられている。図２に示す例では、刺激ユニット１００の数に応じて、刺激ユニット１００とバッファユニット６０とを接続する配線の数を抑制するために、複数の刺激ユニット１００の少なくとも一部の間で、配線が共有化されている。
【００２１】
電極ユニット５０に備わる各々の刺激ユニット１００には、給電ユニット１５０からケーブル１６０、バッファユニット６０及び配線１７０を介して給電される。また、本実施形態では、図３（ａ）に示すように、各刺激ユニット１００の一面に、複数の電極１０５が設置される。電極数を増やすうえでボトルネックとなり得る回路（例えば、デマルチプレクサ）が、各刺激ユニット１００へそれぞれ設けられることで、結果として、電極配置密度を増大でき、患者に視覚させる像を高解像度化させやすくなる。
【００２２】
電極ユニット５０には複数の刺激ユニット１００が設けられており、更に、各々の刺激ユニット１００に複数の電極１０５が配置された装置構成では、各々の刺激ユニット１００に、整流回路、および、デマルチプレクサ等を持つ刺激回路、等を実装する必要がある。そこで、図３（ｂ）に示すように、刺激ユニット１００と同程度のサイズを持つワンチップのＩＣ（ＩＣチップ１０１）が、各刺激ユニット１００に設けられている。ＩＣチップ１０１には、整流回路および刺激回路等が実装されている（詳細は後述）。刺激ユニット１００において、ＩＣチップ１０１は、電極１０５の設置面と反対の面に設置される。また、ＩＣチップ１０１は、ケース１０７によって気密封止される。
【００２３】
ここで、刺激ユニット１００へ給電する配線１７０は、フレキシブル基板５１上に配置されるので、絶縁性能が低下することが考えられる。その場合、絶縁性能が低下した箇所と刺激ユニットの刺激電極との間で不適正な電流が流れる可能性があるので、刺激ユニット１００への給電入力端子には、直流を阻止するコンデンサの設置が必要となる。また電極ユニット５０において、例えば、全電極数を百個以上とする場合、各々の刺激ユニット１００の直径は１ｍｍ程度かそれ以下、電極ユニット５０の直径は２０ｍｍ程度かそれ以下に抑制することが望まれる。そのため、刺激ユニット１００において、部品（例えば、基準クロックを生成するための水晶振動子、比較的大容量のコンデンサ等）を実装するスペースを確保できない場合が考えられる。そして、刺激ユニット１００の直径を、１ｍｍ程度かそれ以下に抑制しようとすると、ＩＣチップ以外の部品搭載が難しいので、刺激ユニット１００で利用可能なコンデンサは、ＩＣチップ内に実装可能な、トータルで１００ｐＦオーダーとなるような、小容量のコンデンサが現実的な選択肢となる。これに伴い、前述の直流を阻止するコンデンサの容量値が制限されるので、給電信号における交流周波数はより高い周波数を採用する必要が生じる。
【００２４】
＜体内装置の設置位置＞
上記の体内装置１０の設置位置について、図４を参照しながら説明する。電極ユニット５０は、図４に示すように、網膜中心窩付近に配置される。具体的には、眼球強膜に切り込みを入れて形成した切開創（フラップ）からフレキシブル基板５１が挿入され、電極１０５が脈絡膜に設置される。その結果、網膜に電極を直接接触させずに電気刺激が可能となる。
【００２５】
一方、給電ユニット１５０は、体外装置２０に設けられた送信部２０６からの信号（電気刺激パルス用データ及び電力）を受信可能な生体内の所定位置に設置される。例えば、患者の側頭部の皮膚の下に受信部１５１を埋め込むとともに、皮膚を介して受信部１５１と対向する位置に送信部２０６を設置する。受信部１５１には、送信部２０６と同様に磁石が取り付けられているため、埋植された受信部１５１上に送信部２０６を位置させることにより、磁力によって送信部２０６と受信部１５１とが引き合い、送信部２０６が側頭部に保持されることとなる。
【００２６】
なお、ケーブル１６０は、側頭部に埋め込まれた受信部１５１から側頭部に沿って皮膚下を患者眼に向かって延び、患者の上まぶたの内側を通して眼窩に入れられる。眼窩に入れられたケーブル１６０は、強膜の外側を通り、バッファユニット６０に接続される。
＜体内装置の詳細＞
【００２７】
本実施形態では、給電ユニット１５０が、制御情報を電力に重畳して給電信号を生成し、バッファユニット６０を介して電極ユニット５０へ出力する。これにより、電極ユニット５０の各刺激ユニット１００は、バッファユニット６０からの給電信号に基づいて給電される。
＜給電ユニットの構成＞
【００２８】
図２及び図５に示すように、本実施形態の給電ユニット１５０は、受信部１５１、低周波駆動回路１５２を少なくも有する。本実施形態では、配線が複数の刺激ユニット１００で共通化されており、各ユニットに対して常時給電が行われる。つまり、給電に基づいて取得される制御情報についても、各刺激ユニット１００へ常時入力される。この場合、例えば、刺激ユニット１００毎に予め定められた識別コードと対応付けられたコマンドのみを処理するように各々の刺激ユニット１００が設定されており、これにより、各刺激ユニット１００が独立に制御されてもよい。
【００２９】
受信部１５１は、コイルリンクで体外装置２０から送信された電力および制御情報を取得する。給電ユニット１５０は図示無き整流回路を有していてもよく、体内装置１０が受信した電力は、一旦、直流電力に変換される。
【００３０】
低周波駆動回路１５２は、数ＭＨｚの低周波給電信号を生成する。この低周波給電信号は、正負の波形が対称な差動信号である。本実施形態の低周波駆動回路１５２は、例えば５ＭＨｚの給電信号を生成する。この低周波給電信号は、ケーブル１６０を介して伝送され、バッファユニット６０に入力される。なお、低周波駆動回路１５２で生成される給電信号は、各刺激ユニット１００における電極１０５の刺激動作を制御するための電極指定信号などの制御信号が交流電圧に重畳された変調波である。交流電圧に制御信号を重畳するための変調には、周知の変調方式（ＡＭ変調、ＦＭ変調、位相変調等）が用いられる。
【００３１】
ここで、ケーブル１６０は、生体適合性の良い貴金属、例えば、白金、白金イリジウム、ステンレス、チタン等による複数の導線（ワイヤー）が、生体適合性の良い絶縁性の樹脂、例えば、シリコーン、パリレン等で形成されたチューブによって一つに束ねられることで形成されている。なお、導線には、電気刺激パルス信号の電力を伝送するための導線、交流電圧を伝送するための導線対等が用意されている。なお、各導線自体にも上述したパリレン等の生体適合性がよく絶縁性を有する樹脂にて被膜が施されている。そして、ケーブル１６０に伝送される給電信号が、直流ではなく交流電圧であることによって、ケーブルの絶縁性能が低下した場合でも体液等の電気分解は生じにくくなっている。
【００３２】
また、ケーブル１６０は、フレキシブルケーブルであるため、寄生容量が数百ｐＦ（本実施形態では、例えば１００ｐＦ程度）と大きい。刺激ユニット１００では、前述したように、給電信号における交流周波数はより高い周波数を採用する必要があるが、給電ユニット１５０からケーブル１６０によって高周波給電信号（数十ＭＨｚ）を伝送すると、消費電力が増大するため電力効率が悪くなってしまう。そこで、電力効率の悪化を避けるため、本実施形態の給電ユニット１５０は、バッファユニット６０までは低周波給電（数ＭＨｚ）を行う。
＜バッファユニットの構成＞
【００３３】
本実施形態のバッファユニット６０は、図５に示すように、整流回路６１、コンパレータ６２、ＰＬＬ回路６３、及び高周波駆動回路６４を少なくとも有する。また、バッファユニット６０には、ケーブル１６０に接続される給電ライン６５，６６と、カップリングコンデンサ６７，６８が設けられている。このバッファユニット６０は、数ＭＨｚの低周波給電信号を数十ＭＨｚの高周波給電信号に変換する。
【００３４】
整流回路６１は、ケーブル１６０を介して伝送された低周波給電信号を、直流信号に変換する。本実施形態において、整流回路６１は、全波整流回路であり、低周波給電信号が正相と負相の間で切り替るタイミングを除き、給電信号を直流に変換する。整流回路６１で変換された直流電力は、バッファユニット６０に備わる各回路に供給される。
【００３５】
コンパレータ６２は、２つの給電ライン６５，６６からの信号の差分を２値化して、正相と負相の信号を生成し、ＰＬＬ回路６３に出力する。ＰＬＬ回路６３は、入力される信号の周波数をｎ倍（ｎは整数）に高めて、高周波駆動回路６４へ出力する。
【００３６】
高周波駆動回路６４は、数十ＭＨｚの高周波給電信号を生成する。本実施形態の高周波駆動回路６４は、例えば５０ＭＨｚの給電信号を生成する。この高周波給電信号は、給電ライン１７１，１７２を介して伝送され、刺激ユニット１００に入力される。
【００３７】
このようにバッファユニット６０では、入力される低周波給電信号を整数倍した高周波給電信号に変換する。そして、変換後の高周波給電信号を電極ユニット５０の各刺激ユニット１００へ出力する。本実施形態のバッファユニット６０は、例えば、５ＭＨｚの低周波給電信号を５０ＭＨｚの高周波給電信号（１０倍）に変換する。なお、バッファユニット６０は、入力される低周波給電信号を整数と整数の比で表される分数倍した高周波給電信号に変換して出力することができる。そのため、本実施形態のように５０／５倍（＝１０倍）に限られることはなく、例えば、１９／２倍の倍率で変換することもできる。
【００３８】
このようなバッファユニット６０をケーブル１６０と電極ユニット５０との間に設けることにより、給電ユニット１５０からケーブル１６０に対して低周波給電を行い、バッファユニット６０から電極ユニット５０に対して高周波給電を行うことができる。従って、ケーブル１６０を介して給電する視覚再生補助装置において、電力効率を悪化させることなく高効率な給電を行うことができるため、電極ユニット５０に備わる百以上の多数の電極１０５から十分なフレームレート（本実施形態では、例えば２０Ｈｚ）で刺激電流を出力することができる。
＜電極ユニット（刺激ユニット）の構成＞
【００３９】
本実施形態の電極ユニット５０は、図５に示すように、複数の刺激ユニット１００で構成されており、百以上の電極１０５を備えている。この電極ユニット５０では、シリコーンやパレリン等の生体適合性の良い材料で構成されたシート状のフレキシブル基板５１に、複数の刺激ユニット１００が一定の間隔で配置されている。本実施形態のフレキシブル基板５１は、厚さが０．１ｍｍ程度でφ２０ｍｍ程度の直径を有する円板状をなすものである。そして、電極ユニット５０における各刺激ユニット１００は電気的に接続されている。なお、本実施形態では電極ユニット５０における刺激ユニット１００同士の配置間隔は、一定にするものとしているが、これに限るものではない。電極ユニット５０において、ある部分では刺激ユニット１００の間隔が密であり、また他の部分では疎であるように眼球上の配置場所等に応じて所定の間隔に配置することもできる。
【００４０】
電極ユニット５０を構成する各刺激ユニット１００には、ＩＣチップ１０１が設置されており、該ＩＣチップ１０１に各種の回路が実装されている。図５に示すように、少なくとも、整流回路１１０、刺激回路１２０がＩＣチップ１０１に実装されている。更に、カップリングコンデンサ１４１，１４２がＩＣチップ１０１に実装されていてもよい。ＩＣチップ１０１は、例えば、ＣＭＯＳチップであってもよい。
【００４１】
図５に示した２つの給電ライン１７１，１７２は、バッファユニット６０に接続されており、バッファユニット６０から高周波給電信号が伝送されてくる。この高周波給電信号は、カップリングコンデンサ１４１，１４２を介して整流回路１１０に入力される。
【００４２】
このように刺激ユニット１００と２つの給電ライン１７１，１７２とは、カップリングコンデンサ１４１，１４２を介して接続されている。カップリングコンデンサ１４１，１４２は、配線１７０等に体液が侵潤し、給電信号が生体へリークしたとしても、刺激ユニット１００内の回路を、直流的に切り離すことができ、刺激電極等との間での不適正な電流を防止できる。
【００４３】
整流回路１１０は、バッファユニット６０から出力された高周波給電信号を、直流信号に変換する。本実施形態において、整流回路１１０は、全波整流回路であり、高周波給電信号が正相と負相の間で切り替るタイミングを除き、給電信号を直流に変換する。本実施形態において整流回路１１０は、ＩＣチップ１０１に内蔵されたトランジスタ（例えば、ＣＭＯＳトランジスタ）等を含んで構成される。
【００４４】
また、整流回路１１０は、変換した直流信号を直流電力として、刺激回路１２０に供給する。
【００４５】
刺激回路１２０は、例えば、制御信号に基づいて、刺激電流を生成する。例えば、双極性のパルス信号を刺激電流として生成してもよい。刺激回路１２０は、制御信号に基づいて、刺激電流を出力させる電極１０５を選択する。このような機能は、例えば、デマルチプレクサを含む回路によって実現可能である。
【００４６】
このような電極ユニット５０において、各々の刺激ユニット１００内では、制御信号に基づき刺激ユニット１００に設けられた各電極１０５から順次、刺激電流が出力される。このとき、制御信号は各々の刺激ユニット１００に対してパラレルに伝送されるため、互いに異なる刺激ユニット１００に設けられた電極１０５において同じタイミングで刺激電流が出力される場合が生じる。このような給電制御により、フレームレートを高めることができ、電極ユニット５０に備わる百以上の多数の電極１０５から十分なフレームレートで刺激電流を出力することができる。
【００４７】
以上、説明したように、本実施形態の視覚再生補助装置では、バッファユニット６０がケーブル１６０と電極ユニット５０との間に設けられているため、給電ユニット１５０からケーブル１６０に対して低周波給電を行い、バッファユニット６０から電極ユニット５０に対して高周波給電を行うことができる。これにより、本実施形態の視覚再生補助装置によれば、ケーブル１６０を介して給電を行っても電力効率を悪化させることがなく、また、電極ユニット５０に対して高効率な給電を行うことができ、電極ユニット５０に備わる百以上の多数の電極１０５から十分なフレームレートで刺激電流を出力することができる。
【００４８】
なお、上記した実施形態は単なる例示にすぎず、本開示を何ら限定するものではなく、その要旨を逸脱しない範囲内で種々の改良、変形が可能であることはもちろんである。例えば、上記の実施形態では、網膜刺激型の視覚再生補助装置を例示したが、本開示は網膜刺激型の他、脳刺激型や視神経刺激型等の視覚再生補助装置にも適用することができる。
【符号の説明】
【００４９】
１０    体内装置
２０    体外装置
５０    電極ユニット
６０    バッファユニット
６３    ＰＬＬ回路
１００  刺激ユニット
１０５  電極
１４１  カップリングコンデンサ
１４２  カップリングコンデンサ
１５０  給電ユニット
１６０  ケーブル
１７０  配線
【図１】
2020081720.tif 000003
【図２】
2020081720.tif 000004
【図３】
2020081720.tif 000005
【図４】
2020081720.tif 000006
【図５】
2020081720.tif 000007